(57)【特許請求の範囲】
【請求項１】
計数法による０．３μｍ径の極微細な粉塵の捕集率が５０〜７０％の屈曲加工されたプレフィルタと、
前記プレフィルタの風下側に配置され、計数法による０．３μｍ径の極微細な粉塵の捕集率が９９．９７％以上の主エアフィルタと、
前記主エアフィルタの風下側に配置され、ＪＩＳ  Ｋ  １４７４による粒度が８〜１２メッシュであるものを９５重量％以上含有する活性炭を、密度０．１９〜０．６０ｇ／ｃｍ３  にて充填してあるガス除去用フィルタと、
前記プレフィルタ、主エアフィルタおよびガス除去用フィルタを少なくとも含む積層体の周囲を密着支持して成る枠体とを有し、
前記プレフィルタが二層以上の積層シートであり、
前記プレフィルタは、前記プレフィルタの平面方向に沿って、ジグザグ状に複数回屈曲加工してあり、屈曲加工されたプレフィルタのジグザグの単位幅が、１〜２０ｍｍであり、ジグザグ高さが、５〜２００ｍｍである電子写真装置用フィルタ装置。
【発明の詳細な説明】
【０００１】
【発明の属する技術分野】
本発明は、加熱定着方式の電子写真装置に用いて好適なフィルタ装置に係り、さらに詳しくは、加熱定着部に発生するガスの臭い成分を有効に除去し、微粒子の捕捉率特性に優れ、且つ目詰まりが少ない電子写真装置用フィルタ装置に関する。
【０００２】
【従来の技術】
コピー、プリンタ、ファクシミリなどに代表される電子写真装置は、一般に、感光体から紙などの被転写媒体に静電転写されたトナーを定着させるための加熱定着部を有する。加熱定着部では、静電転写されたトナーを加熱するために、臭いや煙を含むガスが発生する。また、このような電子写真装置では、静電潜像保持部材に形成したトナー像を記録媒体に転写する方式が採用されており、静電装置および転写装置には、主に高圧の電荷を付与するための電極が用いられており、そのためにオゾンが発生する。さらに、転写後には、トナーも残存するので、このようなガスやオゾンを含む気体は、臭気および粉塵を除去するためのフィルタ装置を用いて清浄にして外部に排気される。
【０００３】
従来の電子写真装置に用いられるフィルタ装置としては、一般に、粉塵除去のための濾過フィルタと、臭気除去のための吸着フィルタまたは化学フィルタとの多重構造のフィルタ装置が広く用いられている。また、このようなフィルタ装置において、多重フィルタ中の一方のフィルタを多重にしたもの、たとえばトナーの粉塵除去率を上げるために密度の粗い濾過フィルタの下流に密度の高い濾過フィルタを重ねたフィルタ装置（特開昭５４−１３７３５２号公報）が提案されている。また、臭気の除去率を高めるために、上流側に、粒状の活性炭層を配置し、その下流側に、活性炭繊維層を重ねて配置したフィルタ装置も提案されている。
【０００４】
【発明が解決しようとする課題】
ところが、加熱定着方式の電子写真装置のうち、トナーの定着性を向上させるために、ワックスを多量に添加している高定着性トナーを用いる機種では、ワックス少量添加のトナーを用いる機種に比べて、フィルタの目詰まりが著しいという問題を有している。フィルタに目詰まりが生じると、フィルタの圧力損失を上昇させてしまい、フィルタの交換時期が早まってしまう。なお、ワックス多量添加型トナーを使用する機種では、その分解煙の組成は、トナー樹脂分解物／ワックス＝約１／８の重量比となっており、ワックス粒子のサイズは、０．３〜０．５μｍである。ワックスの材質としては、一般的には、ポリエチレン系、カルナバ系、パラフィン系、シリコン系などがある。分解煙のうちのワックス分が、フィルタの目詰まりを早めてしまうと考えられる。
【０００５】
また、従来の電子写真装置用フィルタ装置では、加熱定着部に発生するガスの臭い成分を有効に除去しきれず、電子写真装置の周囲に刺激臭が発生するおそれがあった。さらに、微粒子の捕捉率特性をさらに向上させることが望まれていた。
【０００６】
本発明は、このような実状に鑑みて成され、加熱定着部に発生するガスの臭い成分を有効に除去し、微粒子の捕捉率特性に優れ、且つ目詰まりが少ない電子写真装置用フィルタ装置を提供することを目的とする。
【課題を解決するための手段】
上記目的を達成するために、本発明の第１の観点に係る電子写真装置用フィルタ装置は、
計数法による０．３μｍ径の極微細な粉塵の捕集率が３０〜９９．９％の屈曲加工されたプレフィルタと、
前記プレフィルタの風下側に配置され、計数法による０．３μｍ径の極微細な粉塵の捕集率が９９．９７％以上の主エアフィルタと、
前記主エアフィルタの風下側に配置され、ＪＩＳ  Ｋ  １４７４による粒度が８〜１２メッシュであるものを９５重量％以上含有する活性炭を、密度０．１９〜０．６０ｇ／ｃｍ３  にて充填してあるガス除去用フィルタと、
前記プレフィルタ、主エアフィルタおよびガス除去用フィルタを少なくとも含む積層体の周囲を密着支持して成る枠体とを有する。
【０００７】
嵩密度が上記範囲にある時に、ガスに含まれる臭気成分を有効に除去することができると共に、通気抵抗の低減に寄与する。
【０００８】
上記目的を達成するために、本発明の第２の観点に係る電子写真装置用フィルタ装置は、
計数法による０．３μｍ径の極微細な粉塵の捕集率が３０．０〜９９．９％の屈曲加工されたプレフィルタと、
前記プレフィルタの風下側に配置され、計数法による０．３μｍ径の極微細な粉塵の捕集率が９９．０％以下の副エアフィルタと、
前記副エアフィルタの風下側に配置され、計数法による０．３μｍ径の極微細な粉塵の捕集率が９９．９７％以上の主エアフィルタと、
前記主エアフィルタの風下側に配置され、少なくとも１mmより厚い活性炭層を有するガス除去フィルタと、
前記プレフィルタ、副エアフィルタ、主エアフィルタおよびガス除去フィルタを少なくとも含む積層体の周囲を保持する枠体とを有する。
【０００９】
前記ガス除去フィルタが、更に化学反応消臭剤を付着してある合成繊維不織布層を有することが好ましい。
【００１０】
最も風下側に配置されるフィルタ部材と前記枠体との接合部には、隙間を密封する目張り部材を設けることが好ましい。
前記枠体の風下側端面には、ゴムパッキンが装着してあり、前記枠体は、前記ゴムパッキンを介して、電子写真装置の加熱定着部からの排気通路に設置してあり、前記ゴムパッキンが、ＳＲＩＳ０１０１タイプＣ硬度が５〜３０で、ＡＳＴＭ  Ｄ  １０５６の圧縮永久歪み３０％以下であることがさらに好ましい。硬度が５〜３０で、圧縮永久歪みが３０％以下の場合に、特にシール特性が向上する。
【００１１】
【作用】
本発明に係る電子写真装置用フィルタ装置では、計数法（ＤＯＰ法）による０．３μｍ径の極微細な粉塵の捕集率が９９．９７％以上の主エアフィルタを有することから、微粒子の捕捉率特性に優れている。しかも、ＪＩＳ  Ｋ  １４７４による粒度が８〜１２メッシュであるものを９５重量％以上含有する活性炭を、密度０．１９〜０．６０ｇ／ｃｍ３  にて充填してあるガス除去用フィルタ、または少なくとも１mmより厚い活性炭層を有するガス除去フィルタを有することから、臭気ガス成分を有効に除去することができる。
【００１２】
しかも、本発明に係る電子写真装置用フィルタ装置では、主エアフィルタの風上側に計数法（ＤＯＰ法）による０．３μｍ径の極微細な粉塵の捕集率が３０〜９９．９％の屈曲加工されたプレフィルタを配置してあるので、このプレフィルタにより、主としてワックス分を捕集し、極微細な粉塵の捕集率が単体できわめて高いエアフィルタへの負荷を軽減することができる。そのため、ワックス多量添加型トナーを使用する機種でも、エアフィルタの目詰まりを軽減することが可能になり、圧力損失の上昇が少なく、結果として、フィルタ全体の交換時期を遅らせることができる。
【００１３】
【発明の実施の形態】
以下、本発明を、図面に示す実施形態に基づき説明する。
図１（Ａ）に示す本実施形態に係るフィルタ装置２は、たとえば図３に示す電子写真装置としてのフラッシュ定着式プリンタ４に装着され、加熱定着部６内またはその付近のガスをファン８で吸引し、フィルタ装置２を通してケーシング１０の外部に排気する位置に設置してある。なお、ファン８は、フィルタ装置２の風上側に配置し、加熱定着部６内またはその付近のガスをフィルタ装置２へ強制的に送り込むように構成しても良い。
【００１４】
図３に基づきプリンタ４の概略について説明する。
図３に示すように、プリンタ４は、感光ドラム１２を有し、その周囲に、現像部１４、転写部１６、クリーニング部１８、前帯電器１８およびレーザ照射部２２が配置してある。クリーニング部１８では、感光ドラム１２の外周面を清掃し、前帯電器２０では、清掃された感光ドラム１２の外周面を均一に帯電する。レーザ照射部２２では、回転している感光ドラム１２の均一帯電面に所定パターンの光を照射することにより、光が当たった部分の帯電電荷を除去し、電荷が残った部分に静電潜像を形成する。
【００１５】
現像部１４では、静電潜像と逆極性に帯電した着色微粒子であるトナーを潜像に付着させて可視像とする。次に、転写部１６では、ホッパ２４から送られてくる記録紙２５（被転写媒体）を感光体１２の外周面に重ねる。そして、記録紙２５の裏側からコロナ放電などでトナーの帯電極性とは逆極性の電荷を記録紙に与え、静電力により感光体上のトナー像を記録紙に転写する。トナー像が転写された記録紙２５は、定着部６へと送られ、そこでキセノンランプなどにより加熱され、トナー像を融着して記録紙に定着させる。トナー像が定着された記録紙２５は、スタッカ２６の上に重ねられる。
【００１６】
定着部６では、トナーの加熱により、臭い成分や煙成分（ワックス成分も含む）を含んだガスが発生するが、このガスは、本実施形態に係るフィルタ装置２により濾過され、脱煙および脱臭が図られる。
【００１７】
図１に示すように、本実施形態に係るフィルタ装置２は、フィルタ本体３０と、このフィルタ本体３０の外周を囲む枠体３２とを有する。枠体３２は、たとえば木材またはステンレスなどの金属で構成してあり、フィルタ本体３０の表裏面が外部に露出するための風上側開口部３４と風下側開口部３６とを有する。
【００１８】
枠体３２の風下側端面には、図２に示すように、枠体３２の全周に沿って、ゴムパッキン３８が装着してあり、枠体３２は、ゴムパッキン３８を介して、図３に示す電子写真装置４の加熱定着部６からの排気通路に設置してある。なお、ゴムパッキン３８は、枠体３２の風上側端面にも、全周に沿って装着しても良い。このようなゴムパッキン３８を、枠体３２の少なくとも風下側端面に全周にわたり装着することで、一方の風上側開口部３４から導入されてフィルタ本体３０の表裏面を貫通して他方の風下側開口部３６から流出するガスが他へ漏洩することを防止する。
【００１９】
ゴムパッキン３８としては、特に限定されないが、ＳＲＩＳ０１０１タイプＣ硬度が５〜３０で、ＡＳＴＭ  Ｄ  １０５６の圧縮永久歪み３０％以下であるゴムパッキンが好ましく用いられる。このようなゴムパッキン３８の材質としては、特に限定されないが、たとえば、スチレン−ブタジエンゴム（ＳＢＲ）、ブタジエンゴム（ＢＲ）、イソプレンゴム（ＩＲ）、ニトリルブタジエンゴム（ＮＢＲ）、クロロプレンゴム（ＣＲ）などのジエン系ゴム、ブチルゴム（ＩＩＲ）、エチレン−プロピレン−ジエンターポリマーゴム（ＥＰＤＭ）、アクリルゴム、クロロスルホン化ポリエチレンゴム、フッ素ゴムなどのオレフィン系ゴム、シリコーンゴム、ウレタンゴム、多硫化ゴム、またはこれらの発泡体、またはウレタンもしくはナイロンの発泡体、軟質塩化ビニル樹脂などで構成される。好ましくは、ゴムパッキン３８は、独立気泡型発泡体ゴムで構成される。
【００２０】
図１（Ａ）に示すように、フィルタ本体３０は、枠体３２により保持され、その最も風上側に、プレフィルタ４０を有する。プレフィルタ４０は、計数法（ＤＯＰ法）による０．３μｍ径の極微細な粉塵の捕集率が３０〜９９．９％、好ましくは４０〜７０％のフィルタである。プレフィルタ４０の材質は、特に限定されないが、たとえばガラス、ポリプロピレン、ポリエステル、ポリウレタン、ナイロンなどで構成され、繊維であっても不織布であっても良い。特に好適には、プレフィルタ４０は、合成繊維製またはガラス繊維製の濾布から成り、繊維目付量が３００〜８００ｇ／ｍ２  である。合成繊維の素材は、ポリオレフィン系、ポリエステル系などが好適で、分極した高分子誘電体（エレクトレット）となっている繊維であることが好ましい。
【００２１】
プレフィルタ４０は、一層でも二層以上でも良いが、二層以上の積層シートである場合には風上側のプレフィルタ用シートの捕集率が風下側のプレフィルタ用シートの捕集率よりも低いことが必要である。目詰まりを起こし難いからである。
【００２２】
本実施形態のプレフィルタ４０は、清浄化されるべきガスの流れ（矢印Ｘ）に対して垂直の平面方向に沿って、ジグザグ状に複数回屈曲加工（たとえばプリーツ加工）してある。屈曲加工されたプレフィルタ４０のジグザグの単位幅Ｕ１は、特に限定されないが、好ましくは１〜２０mmであり、ジグザグ高さＴ１は、特に限定されないが、好ましくは５〜２００mmである。
【００２３】
図１（Ａ）に示すように、枠体３２により保持されたプレフィルタ４０の風下側には、主エアフィルタ４１が積層してある。主エアフィルタ４１は、清浄化されるべきガスの流れ（矢印Ｘ）に対して垂直の平面方向に沿って、ジグザグ状に複数回屈曲加工（たとえばプリーツ加工）してある。屈曲加工された主フィルタ４１のジグザグの単位幅Ｕ２は、特に限定されないが、好ましくは１〜２０mmであり、ジグザグ高さＴ２は、特に限定されないが、好ましくは５〜２００mmである。
【００２４】
本実施形態では、主エアフィルタ４１は、極微細な粉塵の捕集率が計数法（ＤＯＰ法）による０．３μｍ径の極微細な粉塵の捕集率が９９．９７％以上の高性能フィルタで構成してある。高性能フィルタとしては、特に限定されないが、ＨＥＰＡエアフィルタ（High Efficiency Particle Air Filterの略）が好ましく用いられる。ＨＥＰＡエアフィルタは、計数法（ＤＯＰ法）による０．３μｍの極微細な粉塵の捕集率が９９．９７％以上であるガラス繊維濾紙製フィルタである。
【００２５】
枠体３２に保持された主エアフィルタ４１の風下側には、ガス除去フィルタ４２が装着してある。ガス除去フィルタ４２は、図１（Ｂ）に示すように、化学反応型消臭剤を付着してある二つの合成繊維不織布層４４，４６と、これら二つの合成繊維不織布層４４，４６の間に、ＪＩＳ  Ｋ  １４７４による粒度８〜１２メッシュ９５重量％以上の活性炭を厚さ１mmより厚くなるように嵩密度０．１９〜０．６０ｇ／ｃｍ３  にて充填してある活性炭層４８とを有する。
【００２６】
合成繊維不織布４４，４６としては、特に限定されないが、厚み２〜１０mm程度のポリエステル、レーヨン、ポリプロピレンなどから成る不織布を例示することができる。合成繊維不織布４４，４６には化学反応型消臭剤を付着させることが好ましい。化学反応型消臭剤としては、特に限定されないが、たとえばリン酸エステルと銅（II）との化合物から成り、たとえば４大悪臭であるアンモニア臭、メルカプタン臭、硫化水素臭およびアミン臭を消臭する機能を持つ。
【００２７】
活性炭層４８に含まれる活性炭粒子の平均粒径は、特に限定されないが、１〜５mm程度が好ましい。活性炭は粒子の代わりに繊維を編んだ布帛であっても良い。活性炭層４８の厚みは、１mm以上、３〜２０mm程度が好ましい。合成繊維不織布４４，４６は、粒状の活性炭が外側へ飛び出さないようにする機能もある。
【００２８】
図１（Ｂ）に示すように、ガス除去フィルタ４２の風下側には、補助エアフィルタ５０が積層してある。補助エアフィルタ５０は、主エアフィルタ４１よりも単体での捕集率が低い中性能エアフィルタから成るガラス繊維濾紙や合成繊維濾紙や合成繊維不織布などで構成してある。補助エアフィルタ５０は、主エアフィルタ４１に比較し、フィルタ自体の材質は同様であるが、目の粗さなどが異なり、単独で比較した場合には、主エアフィルタ４１の方が補助エアフィルタ５０よりも粉塵の捕集率が高い。この補助エアフィルタ５０は、活性炭層４８に充填された微細な活性炭の飛散を防止する機能も有する。
【００２９】
本実施形態では、ガス除去フィルタ４２の風上側表面には、風上側金網５２が積層してあると共に、補助エアフィルタ５０の風下側表面には、風下側金網５４が積層してある。これら金網５２および５４は、ガス除去フィルタ４２の活性炭層４８に含まれる粒状活性炭の重力により、合成繊維不織布４４および４６が第２エアフィルタ５０と共に外側に膨らみすぎることを有効に防止するために装着する。このような目的からは、金網５２および５４は、フィルタ本体３０の表面および背面の全面を必ずしも覆う必要がなく、たとえば合成樹脂製または金属製の帯状またはリボン状の金網を、フィルタ本体３０の表面および背面の一部に装着し、合成繊維不織布４４および４６が補助エアフィルタ５０と共に外側に膨らみすぎることを有効に防止しても良い。
【００３０】
図１（Ａ），（Ｂ）および図２（Ａ）に示すように、目張り部材５６が、補助エアフィルタ５０の風下側表面の周囲と枠体３２との接合部を密封するように、枠体３２の全周にわたり装着してある。目張り部材５６は、枠体３８と第２エアフィルタ５０との隙間を密封するためのものであり、たとえば接着剤を塗布して硬化させたものである。この目張り部材５６は、金網５４の上から、第２エアフィルタ５０の風下側表面の周囲と枠体３２との接合部を密封するように、枠体３２の全周にわたり装着しても良い。なお、図２（Ｂ）に示すように、目張り部材５６ａとして矩形リング枠を用い、電子写真装置用フィルタ装置２ａを構成しても良い。目張り部材５６ａを構成する矩形リング枠の材質としては、特に限定されないが、合成樹脂、木材、金属などが例示される。矩形リング枠から成る目張り部材５６ａは、タッカー、釘、ステープルなどにより枠体３２の風下側開口部３６に装着される。
【００３１】
本実施形態に係る電子写真装置用フィルタ装置２を図３に示す電子写真装置４の排気通路に装着した場合には、加熱定着部６に発生するガスの臭い成分を有効に除去し、微粒子の捕捉率特性に優れている。しかも、本実施形態に係る電子写真装置用フィルタ装置２では、主エアフィルタ４１の風上側に特定のプレフィルタ４０を配置してあるので、このプレフィルタ４０により、主としてワックス分を捕集し、極微細な粉塵の捕集率が単体できわめて高い主エアフィルタ４１への負荷を軽減することができる。そのため、ワックス多量添加型トナーを使用する機種であっても、主エアフィルタ４１の目詰まりを軽減することが可能になり、圧力損失の上昇が少なく、結果として、フィルタ本体３０の交換時期を長くすることができる。
【００３２】
なお、本発明は、上述した実施形態に限定されるものではなく、本発明の範囲内で種々に改変することができる。
【００３３】
たとえば、上記実施形態では、ガス除去フィルタ４２の活性炭層４８として、粒状の活性炭を充填した層を例示したが、活性炭層４８としては、厚みが１mm以上、好ましくは１〜３０mm程度の活性炭素繊維製布帛層であっても良い。活性炭炭素繊維布帛層は、粒状活性炭と同様に、消臭効果に優れている。
【００３４】
また、図１に示す実施形態では、活性炭層４８の両側に合成繊維不織布４４および４６を配置したが、たとえば風下側の不織布４６は必ずしもなくても良くても良い。また、本発明では、ガス除去フィルタ４２の具体的構成は、特に限定されない。
【００３５】
さらに、本発明では、プレフィルタ４０と主エアフィルタ４１との間に、副エアフィルタを配置しても良い。副エアフィルタとしては、計数法による０．３μｍ径の極微細な粉塵の捕集率が９９．０％以下のエアフィルタが用いられる。副エアフィルタは、たとえば平板形状であり、その材質は、特に限定されないが、たとえばガラス、ナイロン、ポリウレタン、ポリプロピレン、ポリエステルなどで構成され、繊維であっても不織布であっても良い。副エアフィルタの厚みは、特に限定されないが、好ましくは０．２〜２０mmである。また、副フィルタは、多層のフィルタであっても良い。
【００３６】
副エアフィルタを、プレフィルタ４０と主エアフィルタ４１との間に積層させる場合には、ガス除去フィルタ４２は、活性炭粒子を充填したものではなく、活性炭粒子の代わりに繊維を編んだ布帛であっても良い。その厚みは、１mm以上、３〜２０mm程度が好ましい。
【００３７】
【実施例】
以下、本発明を、さらに詳細な実施例に基づき説明するが、本発明は、これら実施例に限定されない。
【００３８】
実施例１
図１（Ａ）に示す構造のフィルタ装置２を作製した。木製枠体３２の縦寸法は３２０mmであり、横寸法は１７０mmであり、厚みは９０mmであった。
【００３９】
プレフィルタ４０としては、風上側に計数法（ＤＯＰ法）による０．３μｍの微細粉塵の捕集率が単体で１８％であり、目付量６５ｇ／ｍ２  のガラス繊維製ろ布（Ｌｙｄａｌｌ  Ｉｎｃ．製、品番１９０９、厚さ０．３３mm）、風下側に計数法（ＤＯＰ法）による０．３μｍの微細粉塵の捕獲率が単体で５０％であり、目付量６５ｇ／ｍ２  のガラス繊維製ろ布（Ｌｙｄａｌｌ  Ｉｎｃ．製、品番号１８９４、厚さ０．３３mm）の二層構造をプリーツ加工したものを用いた。プリーツのジグザグ単位幅Ｕ１は約３mmであり、ジグザグ高さＴ１は１８mmであった。また、ろ布の表面積は０．６ｍ２  であった。このプレフィルタ４０の計数法による０．３μｍの微細粉塵の捕集率は、５０．０％であった。
【００４０】
主エアフィルタ４１としては、ＤＯＰ法による０．３μｍの微細粉塵の捕集率が単体で９９．９７％であるＨＥＰＡガラス繊維濾紙（厚み０．４mmの北越製紙株式会社製の品番Ｈ３２０−Ａ）をプリーツ加工（凹凸加工）したものを用いた。プリーツ加工後のエアフィルタ４１のジグザグ単位幅Ｕ２は約３mmであり、ジグザグ厚みＴ２は１８mmであった。また、濾材表面積は０．７５ｍ２  であった。
【００４１】
ガス除去フィルタ４２としては、化学反応型消臭剤を付着してある二つの合成繊維不織布層４４，４６と、これら二つの合成繊維不織布層４４，４６の間に、ＪＩＳ  Ｋ  １４７４による粒度８〜１２メッシュ９５重量％以上の活性炭を嵩密度０．４５±０．０３ｇ／ｃｍ３  にて充填してある活性炭層４８とを用いた。化学反応型消臭剤を付着してある合成繊維不織布層４４，４６としては、それぞれ厚み３mmのリン酸エステルと銅（ＩＩ）化合物よりなる化学反応型消臭剤を付着させたポリエステル不織布（ゼオン化成株式会社製の品番ＺＣＬ−Ｆ３００２）を用いた。活性炭層４８には、平均粒径３mmの粒状活性炭を、層４８の厚みが９．５mmとなるように、ガス除去フィルタ４２の風上側表面と合成繊維不織布層４４，４６の面方向に均一に充填した。
【００４２】
合成繊維不織布層４６の風下側に積層した補助エアフィルタ５０としては、ＤＯＰ法による０．３μｍの微細粉塵の捕集率が単体で９０％である厚み０．４mmの中性能エアフィルタ（北越製紙株式会社製の品番Ｈ７３０−Ａ）を用いた。図１（Ｂ）に示すように、ガス除去フィルタ４２の風上側表面と第２エアフィルタ５０の風下側表面にそれぞれ金網５２と５４を設置し保護した。
【００４３】
枠体３２の風下側開口端面には、厚み５mmの独立発泡型ネオプレン製パッキン３８（株式会社イノアックコーポレーション製のスポンジゴム製品番号Ｃ−４２０５）を装着した。パッキン３８のＳＲＩＳ０１０１タイプＣ硬度が１０で、ＡＳＴＭ  Ｄ  １０５６の圧縮永久歪みが１６．５％であった。また、目張り部材５６としては、ポリウレタン系２成分型接着剤（サンユレジン（株）社製の製品番号Ａ−４０４および製品番号Ｈ−１１０Ａ）を用いた。
【００４４】
このように構成したフィルタ装置２を、図３に示す電子写真装置４（富士通（株）製のプリンタ装置：製品番号Ｆ６７１２Ｅ）の加熱定着部６の排気ラインに取り付けた。電子写真装置４では、印刷用トナーとして、ワックス多量添加型の定着性の良いトナーを用いた。
【００４５】
この電子写真装置４を、プリンタ印字率２０％として実際に印字試験を行い、排気ラインの排気口からの初期排出粉塵量と臭気とフィルタ寿命とを調べた。結果を表１に示す。表１に示すように、初期排出粉塵量は、０．０１５ｍｇ／ｍ３  であった。また、寿命は２５０，０００枚であり、臭気は極僅かな甘味臭であった。
【００４６】
【表１】
0004663055.tif 000002
なお、排出粉塵量は、光散乱積分方式の浮遊粉塵相対濃度測定機（デジタル粉塵計：Ｐ−５Ｈ、ＳＨＩＢＡＴＡ製）を用いて、排気口より約３０ｃｍ離れた位置の排気をサンプリングして測定した。また、フィルタ寿命は、フィルタ装置が一定圧力損失差に到達するまでの印刷枚数により評価した。すなわち、プリンタによりＡ４版紙面に印字率２０％で印刷した場合、トナー定着煙によってフィルタ装置の初期の圧力損失より５０mmＡｑ上昇したときの印刷枚数をフィルタ寿命とした。さらに、臭気は、３名のパネリストにより官能評価した。
【００４７】
実施例２
プレフィルタ４０として、計数法（ＤＯＰ法）による０．３μｍ径の極微細な粉塵の捕集率が７０．０％の屈曲加工されたプレフィルタを用いた以外は、実施例１と同様にして、電子写真装置用フィルタ装置を組み立てた。
実施例１と同じ試験を行った結果を表１に示す。
【００４８】
表１に示すように、初期排出粉塵量は、０．０２４ｍｇ／ｍ３  であった。また、寿命は５００，０００枚であり、臭気は刺激臭は取れたが、極僅かな甘味臭が残った。
【００４９】
比較例１
プレフィルタ４０を装着しなかった以外は、前記実施例１と同様にして、電子写真装置用フィルタ装置を組み立て、実施例１と同じ試験を行った。結果を表１に示す。表１に示すように、初期排出粉塵量は、０．０２８ｍｇ／ｍ３  であり、臭気は刺激臭は取れたものの、極僅かな甘味臭であったが、フィルタ寿命が１０，０００枚と実施例に比べて短かった。
【００５０】
比較例２
プレフィルタ４０としては、風上側に計数法による０．３μｍの微細粉塵の捕集率が５０．０％のプリーツ加工しない平板状のものを用いた以外は、実施例１と同様にして、電子写真装置用フィルタ装置を組み立て、実施例１と同じ試験を行った。結果を表１に示す。臭気は極僅かな甘味臭であったが、初期排出粉塵量は０．０３０ｍｇ／ｍ３  であり、実施例１，２に比べて多く、フィルタ寿命も１２０，０００枚と短かった。
【００５１】
実施例３
プレフィルタ４０と主フィルタ４１との間に、副フィルタを配置し、活性炭層の厚みを７mmにした以外は、実施例１と同様にして、電子写真装置用フィルタ装置を組み立てた。なお、副フィルタとしては、厚み０．３４mmの日本板ガラス（株）社製の製品番号Ｆ１９５Ｂのガラス繊維製ろ布材料で構成された平板状のフィルタを５枚積層させたものを用いた。この５枚積層構造の副フィルタのＤＯＰ法による０．３μｍの微細粉塵の捕集率は、３０％であった。
実施例１と同じ試験を行った結果を表１に示す。
【００５２】
表１に示すように、初期排出粉塵量は、０．０１３ｍｇ／ｍ３  であった。また、寿命は３００，０００枚であり、臭気は刺激臭は取れたが、極僅かな甘味臭が残った。
【００５３】
実施例４
プレフィルタ４０として、計数法（ＤＯＰ法）による０．３μｍの微細粉塵の捕集率が７０％のものを用いた以外は、実施例３と同様にして、電子写真装置用フィルタ装置を組み立てた。
実施例１と同じ試験を行った結果を表１に示す。
【００５４】
表１に示すように、初期排出粉塵量は、０．０１０ｍｇ／ｍ３  であった。また、寿命は５５０，０００枚であり、臭気は刺激臭は取れたが、極僅かな甘味臭が残った。
【００５５】
【発明の効果】
以上説明してきたように、本発明に係る電子写真装置用フィルタ装置によれば、加熱定着部に発生するガスの臭い成分を有効に除去し、微粒子の捕捉率特性に優れ、且つ目詰まりが少なく、フィルタの寿命が長い。
【図面の簡単な説明】
【図１】  図１（Ａ）は本発明の１実施形態に係る電子写真用フィルタ装置の要部断面図、同図（Ｂ）は同図（Ｂ）に示すIB部の要部断面図である。
【図２】  図２（Ａ）は図１（Ａ）に示す電子写真装置用フィルタ装置の概略斜視図、同図（Ｂ）は本発明の他の実施形態に係る電子写真装置用フィルタ装置の分解斜視図である。
【図３】  図３はフラッシュ定着式プリンタ装置の概略構成図である。
【符号の説明】
２…  フィルタ装置
４…  レーザプリンタ装置（電子写真装置）
６…  加熱定着部
３０…  フィルタ本体
３２…  枠体
３４…  風上側開口部
３６…  風下側開口部
３８…  パッキン
４０…  プレフィルタ
４１…  主エアフィルタ
４２…  ガス除去フィルタ
４４，４６…  合成繊維不織布層
４８…  活性炭層
５０…  補助エアフィルタ
５２，５４…  金網
５６，５６ａ…  目張り部材
【図１】
0004663055.tif 000003
【図２】
0004663055.tif 000004
【図３】
0004663055.tif 000005